【事件の表示】
　平成　８年特許願第　６６８６９号「医療溶液を包装および投与するための多層フィルム」拒絶査定不服審判事件〔平成　８年１０月２２日出願公開、特開平　８−２７５９８５号〕について、次のとおり審決する。
【結　論】
　本件審判の請求は、成り立たない。
【理　由】
 Ｉ．手続の経緯
　本願は、平成８年３月２２日の出願（パリ条約による優先権主張１９９５年３月２２日、米国）であって、平成１８年８月２５日付けで拒絶査定がなされ、これに対し、平成１８年１１月２４日に拒絶査定不服審判の請求がなされたものである。
　
　II．本願発明
　本願の請求項１に係る発明は平成１７年１１月１日付けの手続補正書により補正された明細書の特許請求の範囲１に記載された事項により特定される以下のとおりのものである。
　
「（ａ）１ｃｍ3 当り約０．８９〜約０．９２ｇの範囲の密度を有する均質エチレン／α−オレフィン　コポリマーを含む内部層と；
（ｂ）ポリプロピレンのホモポリマーもしくはコポリマー、ポリプロピレンのホモポリマーもしくはコポリマーとエラストマーとの配合物、高密度ポリエチレンおよびコポリエステルよりなる群から選択される材料を含む第１外層と；
（ｃ）ポリアミド、コポリアミド、ポリエステル、コポリエステル、高密度ポリエチレン、ポリプロピレン、プロピレン／エチレン　コポリマーおよびポリカーボネートよりなる群から選択される材料を含む第２外層と
を含むことを特徴とする１２１℃（２５０°Ｆ）における熱殺菌に耐えることのできる多層フィルム。」
　
　
　III．対比・判断
　１．引用例の記載事項
　原査定の拒絶の理由に引用された、特表平７−５０２２２０号公報（以下、「引用例」という）には、図面と共に次の事項が記載されている。
　
ａ．「フィルムはさらに、当該二層の一方に存在するエチレン／α−モノオレフィンコポリマーが、エチレン及び、他の層のエチレンコポリマー中に存在するα−モノオレフィンとは異なるＣ６乃至Ｃ１０のα−モノオレフィンのコポリマーであることを特徴とする。フィルム中のエチレンコポリマー成分の特徴は、密度範囲が０．８８ｇ／ｃｍ３乃至０．９１５　ｇ／ｃｍ３、メルトインデックスの範囲が０．５ｄｇ／分乃至７．５ｄｇ／分であり、分子量分布（Ｍｗ／Ｍｎ）が１．５乃至３．５であり、そして本質的に単一の融点は、ＤＳＣのピークＴｍとして測定するとき６０℃乃至１１５℃の範囲である。本発明のフイルムは９３．３℃から１４３．３℃まで（２００乃至２９０゜Ｆ）の範囲内の温度において極めて良好な熱間粘着性シール強さを示すので高速包装作業における包装物質として極めて有用である。」（３ページ左下欄２０行〜３ページ右下欄１行）
　
ｂ．「このようなＶＬＤＰＥコポリマーの組成分布幅指数（Composition　Distribution　Breadth　Index）（ＣＤＢＩ）は、一般的に７０％以上の範囲内である。」（４ページ右上欄１９行〜２１行）
　
ｃ．「本発明のより好ましい実施態様において、Ｃ６乃至Ｃ１０のα−モノオレフィン含有コポリマーをヒートシール可能な層として用い、そして、異なるＣ３乃至Ｃ２０のα−モノオレフィン含有コポリマーを基層中の成分として用いる。」（５ページ左下欄６行〜９行）
　
ｄ．「本発明の積層フィルム構造は、全体の厚さが０．００１２７ｃｍ（０．５ミル）乃至０．０１２７ｃｍ（５ミル）の範囲内である、そして好ましい厚さは０．００１９ｃｍ（０．７５ミル）乃至０．００６３５ｃｍ（２．５ミル）である。基層の片方又は両方に存在するヒートシール被覆層は、この全体厚さの３乃至５０％、より好ましくは、全体厚さの１０乃至２５％を構成し得る。」（５ページ左下欄２８行〜５ページ右下欄３行）
　
　これら記載事項を総合し、本願補正発明の記載ぶりに則って整理すると、引用例には、次の発明（以下、「引用発明」という）が記載されている。
   「密度範囲が０．８８ｇ／ｃｍ３乃至０．９１５　ｇ／ｃｍ３、分子量分布（Ｍｗ／Ｍｎ）が１．５乃至３．５であり、本質的に単一の融点が、６０℃乃至１１５℃の範囲であり、組成分布幅指数が７０％以上の範囲であるエチレン／α−モノオレフィンコポリマーを成分として用いる基層と；
　エチレン及び、他の層のエチレンコポリマー中に存在するα−モノオレフィンとは異なるＣ６乃至Ｃ１０のα−モノオレフィンのコポリマーを成分として用いる基層の両方に存在するヒートシール被覆層とを含む、９３．３℃から１４３．３℃まで（２００乃至２９０゜Ｆ）の範囲内の温度において極めて良好な熱間粘着性シール強さを示す積層フィルム。」
　
　
　２．対比
　本願補正発明と引用発明とを対比すると、その構造または機能からみて、引用発明の「積層フィルム」は、本願補正発明の「多層フィルム」に相当し、同様に、「基層」は「内部層」に相当する。
　
　また、引用発明の基層に用いられている「 エチレン／α−モノオレフィンコポリマー」は、分子量分布（Ｍｗ／Ｍｎ）が１．５乃至３．５であり、組成分布幅指数は７０％以上の範囲にあり、本質的に単一の融点が６０℃乃至１１５℃の範囲にあり、本願の明細書の段落【００３０】で定義される均質エチレン／α−オレフィンコポリマーと、分子量分布（Ｍｗ／Ｍｎ）の１．９乃至２．５の範囲、組成分布幅指数が７０％以上の範囲にある点、６０℃乃至１１０℃の範囲にある単一の融点特性をもつ点で、一致するものであるから、引用発明は「均質エチレン／α−オレフィンコポリマーを含む内部層」の発明特定事項を有するといえる。
　
　また、引用発明のエチレン／α−モノオレフィンコポリマーの密度範囲は０．８８ｇ／ｃｍ３乃至０．９１５　ｇ／ｃｍ３ であり、この範囲は、本願補正発明の均質エチレン／α−オレフィンコポリマーの密度と１ｃｍ３当たり０．８９〜０．９１５ｇの範囲で一致する。
　
　また、引用発明は、基層の両方にヒートシール被覆層を有するから、第１外層と第２外層とを有しているといえる。
　
　そこで、本願補正発明の用語を用いて表現すると、両者は次の点で一致する。
（一致点）
　「１ｃｍ3 当り約０．８９〜約０．９１５ｇの範囲の密度を有する均質エチレン／α−オレフィンコポリマ−を含む内部層と、
第１外層と、第２外層とを含む多層フィルム。」
　
　そして、両者は次の相違点１及び２で相違する。
　
（相違点１）
　本願補正発明は、第１外層が、ポリプロピレンのホモポリマーもしくはコポリマー、ポリプロピレンのホモポリマーもしくはコポリマーとエラストマーとの配合物、高密度ポリエチレンおよびコポリエステルよりなる群から選択される材料を含み、第２外層がポリアミド、コポリアミド、ポリエステル、コポリエステル、高密度ポリエチレン、ポリプロピレン、プロピレン／エチレン　コポリマーおよびポリカーボネートよりなる群から選択される材料を含むに対し、引用発明は、第１外層、第２外層が共に、エチレン及び、他の層のエチレンコポリマー中に存在するα−モノオレフィンとは異なるＣ６乃至Ｃ１０のα−モノオレフィンのコポリマーを成分として用いる点。
　
（相違点２）
　本願補正発明は１２１℃（２５０°Ｆ）における熱殺菌に耐えるのに対し、引用発明は９３．３℃から１４３．３℃まで（２００乃至２９０゜Ｆ）の範囲内の温度において極めて良好な熱間粘着性シール強さを示すものの、１２１℃（２５０°Ｆ）における熱殺菌に耐えるか否かは明確でない点。
　　
　３．相違点の判断
　上記各相違点について検討する。
（相違点１及び２について）
　医療溶液を包装するための多層フィルムにおいて、第１外層及び第２外層を高密度ポリエチレンを含む層で構成すること、及び１２１℃（２５０°Ｆ）における熱殺菌に耐えるものとすることは、本願の優先日前に周知の事項（必要ならば、特開平４−２６６７５９号公報、特開平５−２９３１６０号公報等参照。）であり、引用発明に前記周知の事項を適用して、第１外層、第２外層として高密度ポリエチレンを含む層を採用し、１２１℃（２５０°Ｆ）における熱殺菌に耐えるものとし、前記相違点１、２に係る発明特定事項とすることは、当業者であれば容易になし得る事である。
　
　そして、本願補正発明による効果も、引用発明及び周知の事項から当業者が予測し得た程度のものであって、格別のものとはいえない。
　
　したがって、本願補正発明は、引用発明及び周知の事項に基いて、当業者が容易に発明をすることができたものである。　
　
　IV．むすび
　以上のとおり、本願発明は、引用発明及び周知の事項に基いて、当業者が容易に発明をすることができたものであるから、特許法第２９条第２項の規定により、特許を受けることができない。
　よって、結論のとおり審決する。